(57)【要約】【課題】コンデンサ、ラジエータ、ファンシュラウドの三者を容易に締結できる熱交換器の締結構造の提供。【解決手段】ラジエータ１の前後の下端に設けられる下端保持部１ｂ，１ｃと、コンデンサ２及びファンシュラウド３の上端にそれぞれ設けられ、ピンＰ１に挿通された状態で上下方向に互いに重なるように結合するアーム部Ａ１，Ａ２と、コンデンサ２及びファンシュラウド３の下端にそれぞれ設けられ、下端保持部１ｂ，１ｃに上方から係止する下端係止部２ｃ，３ｅと、ピンＰ１に挿通され、前記両アーム部Ａ１，Ａ２の結合を上方から固定するマウント部材Ｍとを備えることとした。【選択図】        図１
2005003225.tif 000002
【特許請求の範囲】
【請求項１】
車体に固定するためのピンが少なくとも上端に突設されたラジエータの前後を挟んで一方側にコンデンサ、他方側にファンシュラウドが一体的に組み付けられる熱交換器の締結構造であって、
前記ラジエータの前後の下端に設けられる樹脂製の下端保持部と、
前記コンデンサ及びファンシュラウドの上端にそれぞれ設けられ、前記ピンに挿通された状態で上下方向に互いに重なるように結合して該コンデンサまたはファンシュラウドの上端をラジエータに固定する樹脂製のアーム部と、
前記コンデンサ及びファンシュラウドの下端にそれぞれ設けられ、前記下端保持部に上方から係止して該コンデンサまたはファンシュラウドの下端をラジエータに固定する樹脂製の下端係止部と、
前記ピンに挿通され、前記両アーム部の結合を上方から固定するマウント部材と、
を備えることを特徴とする熱交換器の締結構造。
【請求項２】
車体に固定するためのピンが少なくとも上端に突設されたラジエータの前後を挟んで一方側にコンデンサ、他方側にファンシュラウドが一体的に組み付けられる熱交換器の締結構造であって、
前記ラジエータの前後の上端に設けられ、前記ピンに近接する樹脂製の上端保持部と、
前記ラジエータの前後の下端に設けられる樹脂製の下端保持部と、
前記コンデンサ及びファンシュラウドの上端にそれぞれ設けられ、前記上端保持部に上方から係止して該コンデンサ及びファンシュラウドの上端をラジエータに固定する樹脂製のアーム部と、
前記コンデンサ及びファンシュラウドの下端にそれぞれ設けられ、前記下端保持部に上方から係止して該コンデンサまたは及びファンシュラウドの下端をラジエータに固定する樹脂製の下端係止部と、
前記ピンに挿通され、前記各アーム部の係合を上方から固定するマウント部材と、
を備えることを特徴とする熱交換器の締結構造。
【発明の詳細な説明】
【０００１】
【発明の属する技術分野】
本発明は、ラジエータの前後を挟んで一方側にコンデンサ、他端側にファンシュラウドが配置された状態で一体的に組み立てられる熱交換器の締結構造に関する。
【０００２】
【従来の技術】
従来、自動車の熱交換器は、ラジエータの前後を挟んで一方側にコンデンサ、他端側にファンシュラウドが配置された状態で一体的に組み立てられ車両へ搭載される（特許文献１参照）。
また、フロントエンドモジュールとしてラジエータコアサポートに装着されるラジエータには該ラジエータコアサポートに固定するための係止ピンが突設されている（特許文献２、３参照）。
【０００３】
【特許文献１】
特開２００２−１１４０２５号公報  （第１−３頁、第１図）
【特許文献２】
特開２００２−９６６４７号公報  （第１−３頁、第１図）
【特許文献３】
特開２００２−９６７６１号公報  （第１−３頁、第１図）
【０００４】
【発明が解決しようとする課題】
しかしながら、従来の発明においては、コンデンサ、ラジエータ、ファンシュラウドの三者がブラケット等を介してボルトで締結されているため、部品点数が増える上、組付け作業に時間と手間が大変かかり、熱交換器の効率的な生産性を疎外しているという問題点があった。
【０００５】
本発明は上記問題点に着目してなされたもので、その目的とするところは、コンデンサ、ラジエータ、ファンシュラウドの三者を容易に締結できる熱交換器の締結構造を提供することにある。
【０００６】
【課題を解決するための手段】
請求項１記載の発明では、車体に固定するためのピンが少なくとも上端に突設されたラジエータの前後を挟んで一方側にコンデンサ、他方側にファンシュラウドが一体的に組み付けられる熱交換器の締結構造であって、前記ラジエータの前後の下端に設けられる樹脂製の下端保持部と、前記コンデンサ及びファンシュラウドの上端にそれぞれ設けられ、前記ピンに挿通された状態で上下方向に互いに重なるように結合して該コンデンサまたはファンシュラウドの上端をラジエータに固定する樹脂製のアーム部と、前記コンデンサ及びファンシュラウドの下端にそれぞれ設けられ、前記下端保持部に上方から係止して該コンデンサまたはファンシュラウドの下端をラジエータに固定する樹脂製の下端係止部と、前記ピンに挿通され、前記両アーム部の結合を上方から固定するマウント部材と、を備えることを特徴とする。
【０００７】
請求項２記載の発明では、車体に固定するためのピンが少なくとも上端に突設されたラジエータの前後を挟んで一方側にコンデンサ、他方側にファンシュラウドが一体的に組み付けられる熱交換器の締結構造であって、前記ラジエータの前後の上端に設けられ、前記ピンに近接する樹脂製の上端保持部と、前記ラジエータの前後の下端に設けられる樹脂製の下端保持部と、前記コンデンサ及びファンシュラウドの上端にそれぞれ設けられ、前記上端保持部に上方から係止して該コンデンサ及びファンシュラウドの上端をラジエータに固定する樹脂製のアーム部と、前記コンデンサ及びファンシュラウドの下端にそれぞれ設けられ、前記下端保持部に上方から係止して該コンデンサまたは及びファンシュラウドの下端をラジエータに固定する樹脂製の下端係止部と、前記ピンに挿通され、前記各アーム部の係合を上方から固定するマウント部材と、を備えることを特徴とする。
【０００８】
【発明の作用及び効果】
請求項１記載の発明にあっては、車体に固定するためのピンが少なくとも上端に突設されたラジエータの前後の下端に樹脂製の下端保持部が形成される。
そして、前記コンデンサ及びファンシュラウドの上端に、ピンを挿通した状態で上下方向に互いに重なるように結合するアーム部が設けられる。
一方、前記コンデンサ及びファンシュラウドの下端に、ラジエータの下端保持部に上方から係止する樹脂製の下端係止部が設けられる。
さらに、前記ピンに挿通され、前記両アーム部の結合を上方から固定するマウント部材が設けられる。
【０００９】
従って、コンデンサ及びファンシュラウドの下端において、下端係止部をラジエータの対応する下端保持部に上方から係止させ、コンデンサ及びファンシュラウドの上端において、両アーム部をピンが挿通された状態で上下方向に互いに重なるように結合させた後、マウント部材にて前記両アーム部の結合を上方から固定する作業でもって容易にコンデンサ及びファンシュラウドをラジエータに固定できる。
【００１０】
また、前記両アーム部はラジエータのピンを挿通させた状態で上下方向に互いに重なるように結合するため、コンデンサとファンシュラウドを結合できる上、コンデンサ、ラジエータ、ファンシュラウドの三者をより堅固に固定することができる。
【００１１】
また、従来の発明と比べてボルト等は必要ない上、前記ピンはラジエータを車体に固定するピンを兼ねているため、部品点数を増やすことなく低コスト化でコンデンサ、ラジエータ、ファンシュラウドを一体的に締結でき、熱交換器の生産性を大幅に向上させることができる。
【００１２】
さらに、マウント部材によって両アーム部の結合を上方から固定することができ、フロントエンドモジュールの組立て時や搬送時にこれら両者の結合が外れる虞がない。
【００１３】
請求項２記載の発明にあっては、車体に固定するためのピンが少なくとも上端に突設されたラジエータの前後の上端に、該ピンに近接して樹脂製の上端保持部が形成され、一方、前記ラジエータの前後の下端に樹脂製の下端保持部が設けられる。
また、前記コンデンサ及びファンシュラウドの上端に、前記上端保持部に上方から係止する樹脂製のアーム部が設けられる。
また、前記コンデンサ及びファンシュラウドの下端に、前記下端保持部に上方から係止する下端係止部が設けられる。
さらに、前記ピンに挿通され、前記各アーム部の係止を上方から固定するマウント部材が設けられる。
【００１４】
従って、コンデンサ及びファンシュラウドの下端において、下端係止部をラジエータの対応する下端保持部に上方から係止させると共に、コンデンサ及びファンシュラウドの上端において、両アーム部を上端保持部に上方から係止させた後、マウント部材にて各アーム部の係止を上方から固定する作業で容易にコンデンサ及びファンシュラウドをラジエータに固定することができる。
【００１５】
また、従来の発明と比べてボルト等は必要ない上、前記ピンはラジエータを車体に固定するピンを兼ねているため、部品点数を増やすことなく低コスト化でコンデンサ、ラジエータ、ファンシュラウドを一体的に締結でき、熱交換器の生産性を大幅に向上させることができる。
【００１６】
さらに、マウント部材によって各アーム部の係止を上方から固定することができ、フロントエンドモジュールの組立て時や搬送時にこれら両者の結合が外れる虞がない。
【００１７】
【発明の実施の形態】
以下、本発明の熱交換器の締結構造の実施の形態を説明する。
【００１８】
＜実施の形態１＞
以下、実施の形態１を説明する。
図１は本発明の実施の形態１の熱交換器の締結構造を示す分解斜視図、図２はラジエータの下端の側面図である。
図３は本実施の形態の熱交換器の締結構造における下端の締結を説明する図、図４は本実施の形態の熱交換器の締結構造における上端の締結を説明する図である。
【００１９】
図１に示すように、本実施の形態の熱交換器の締結構造Ａは、ラジエータ１と、コンデンサ２と、ファンシュラウド３を主要な構成とし、これら三者を重ね合わせた状態で一体的に組み立てられるようになっている。
【００２０】
前記ラジエータ１は、上下の樹脂製のタンクＴ１，Ｔ２と、該タンクＴ１，Ｔ２間にチューブとフィンが配設されたコア部Ｋを主要な構成としている。
【００２１】
前記タンクＴ１の左右上端には図外のラジエータコアサポートのラジエータコアアッパに固定するためのピンＰ１がそれぞれ設けられ、一方、前記タンクＴ２の左右下端には図外のラジエータコアサポートのラジエータコアロアに固定するためのピンＰ２がそれぞれ設けられている。
【００２２】
一方、図１、２に示すように、前記ラジエータのファンシュラウド３側の左右下端には、前記タンクＴ２から突設し、挿通孔１ａを備える下端保持部１ｂがそれぞれ形成されている。
【００２３】
前記コンデンサ２は、左右に設けられた一対のヘッダＨ１，Ｈ２と、該ヘッダＨ１，Ｈ２間にチューブとフィンが配設されたコア部Ｋ１を主要な構成としている。
前記コンデンサ２の左右上端には、ヘッダＨ１，Ｈ２の上部に樹脂製のアーム部Ａ１がそれぞれ設けられている。
【００２４】
図１に示すように、前記両アーム部Ａ１は上部でラジエータ１側に屈折して先端にピン挿通孔Ｏ１と切欠部Ｃ１を有する板状の係合片２ａがそれぞれ設けられている。
一方、前記コンデンサ２の左右下端には、ヘッダＨ１，Ｈ２の上部に樹脂製の下端係止部２ｃがそれぞれ設けられている。
【００２５】
前記ファンシュラウド３は、樹脂製の本体３ａと該本体３ａから後方に突設した円形状のカバー３ｂと、該カバー３ｂ内に配置されるモータファン３ｃを主要な構成としている。
前記ファンシュラウド３の左右上端には、前記本体３ａから突設されたアーム部Ａ２がそれぞれ設けられている。
【００２６】
前記両アーム部Ａ２は上部でラジエータ１側に屈折して上方に開口したコ字状断面形状の嵌合部３ｄが形成され、該嵌合部３ｄにはラジエータ１側に開口された挿通孔Ｏ２がそれぞれ設けられている。
【００２７】
一方、前記ファンシュラウド３の左右下端には、前記本体３ａから突設された下端係止部３ｅがそれぞれ形成されている。
なお、Ｍは後述するリング状のマウント部材である。
【００２８】
以下、本実施の形態の熱交換器におけるコンデンサ、ラジエータ、ファンシュラウドの締結順序について説明する。
先ず、図３に示すように、ラジエータ１の後方側からファンシュラウド３をラジエータ１に近接させた状態で上方から下方に移動させ、ファンシュラウド３の左右下端において、下端係止部３ｅを下端保持部１ｂの挿通孔１ａに挿入させて係止させる。
【００２９】
また、この際、ファンシュラウド３の左右上端において、アーム部Ａ２の嵌合部３ｄの挿通孔Ｏ２にピンＰ１が挿通した状態となる（図４参照）。
【００３０】
続いて、図３に示すように、ラジエータ１の前方側からコンデンサ２をラジエータ１に当接させた状態で上方から下方に移動させ、コンデンサ２の左右下端において、下端係止部２ｃを下端保持部１ｄの挿通孔１ｃに挿入させて係止させる。
【００３１】
また、この際、図４に示すように、コンデンサ２の左右上端において、アーム部Ａ１の係合片２ａの挿通孔Ｏ１にピンＰ１を挿通させた状態で該係合片２ａをアーム部Ａ２の嵌合部３ｄに嵌合させ、該アーム部Ａ１とアーム部Ａ２を結合させる。
また、この際、アーム部Ａ１の係合片２ａの切欠部Ｃ１がアーム部Ａ２の嵌合部３ｄの先端に凹凸係合してこれら両者が堅固に結合できるようになっている。
また、アーム部Ａ２の挿通孔Ｏ２はラジエータ１側に開口されて切欠されており、係合片２ａと嵌合部３ｄに製品精度のばらつきが生じた場合でも、アーム部Ａ２を前後方向に適宜移動調整してこれら両者を結合させることができるようになっている。
【００３２】
最後に、前記マウント部材ＭをピンＰ１に挿通させて、両アーム部Ａ１，Ａ２を上方から固定する。
なお、前記ラジエータ１にコンデンサ２、ファンシュラウド３が組み付けられた熱交換器Ａはラジエータ１のピンＰ１，Ｐ２にて図外のラジエータコアサポートに固定され車両に搭載される。
【００３３】
従って、本実施の形態の熱交換器Ａの締結構造にあっては、コンデンサ２及びファンシュラウド３の下端において、下端係止部２ｃ，３ｅをラジエータ１の対応する下端保持部１ｂ，１ｄに上方から挿入して係止させ、コンデンサ２及びファンシュラウド３の上端において、両アーム部Ａ１，Ａ２をピンＰ１に挿通させた状態で上下方向に互いに重なるように結合させた後、マウント部材Ｍにて両アーム部Ａ１，Ａ２を上方から固定する作業でもって容易かつ確実にラジエータ１にコンデンサ２及びファンシュラウド３を一体的に組み立てることができる。
【００３４】
また、マウント部材Ｍによって両アーム部Ａ１，Ａ２の結合を上方から固定することができ、フロントエンドモジュールの組立て時や搬送時にこれら両者の結合が外れる虞がない。
【００３５】
＜実施の形態２＞
以下、実施の形態２を説明する。
図５は本発明の実施の形態２の熱交換器の締結構造を示す分解斜視図、図６はラジエータの下端の側面図、図７は本実施の形態の熱交換器の締結構造における上端の締結を説明する図である。
なお、本実施の形態では、前記実施の形態１で説明したアーム部Ａ１，Ａ２の形状を変更してラジエータ１の上端保持部に上方から係止させたこと以外は、前記実施の形態１と同様であるため、同一の構成部材については同一の符号を付してその説明は省略する。
【００３６】
図５に示すように、本実施の形態の熱交換器Ｂの締結構造は、ラジエータ１と、コンデンサ２と、ファンシュラウド３を主要な構成としている。
前記ラジエータ１のタンクＴ１の左右上端には図外のラジエータコアサポートのラジエータコアアッパに固定するためのピンＰ１がそれぞれ設けられ、一方、タンクＴ２の左右下端には図外のラジエータコアサポートのラジエータコアロアに固定するためのピンＰ２がそれぞれ設けられている。
【００３７】
また、前記タンクＴ１の左右上端のファンシュラウド３側には、ピンＰ１に近接して挿通孔１０ａを備える上端保持部１０ｃがそれぞれ形成されている。
【００３８】
一方、前記タンクＴ１の左右上端のコンデンサ２側には、ピンＰ１に近接して挿通孔１０ｂを備える上端保持部１０ｄがそれぞれ形成されている。
前記タンクＴ２のファンシュラウド３側の左右下端には、前記タンクＴ２から突設し、挿通孔１ａを備える下端保持部１ｂがそれぞれ形成されている。
【００３９】
一方、前記タンクＴ２のファンシュラウド３側の左右下端には、前記タンクＴ２から突設し、挿通孔１ａを備える下端保持部１ｂがそれぞれ形成されている（図６参照）。
前記コンデンサ２のヘッダＨ１，Ｈ２の上部には樹脂製のアーム部Ａ３がそれぞれ設けられている。
前記両アーム部Ａ３は上部がラジエータ１側に屈折して形成され、その先端に下方に延びる爪部２０がそれぞれ設けられている。
【００４０】
一方、前記コンデンサ２の左右下端には、ヘッダＨ１，Ｈ２の上部に樹脂製の下端係止部２ｃがそれぞれ設けられている。
前記ファンシュラウド３の左右上端には、前記本体３ａから突設されたアーム部Ａ４がそれぞれ設けられている。
前記両アーム部Ａ４は上部がラジエータ１側に屈折して形成され、その先端に下方に延びる爪部３０がそれぞれ設けられている。
【００４１】
一方、前記ファンシュラウド３の左右下端には、前記本体３ａから突設された下端係止部３ｅがそれぞれ形成されている。
なお、Ｍ１は後述するリング状のマウント部材である。
【００４２】
以下、本実施の形態の熱交換器におけるコンデンサ、ラジエータ、ファンシュラウドの締結順序について説明する。
先ず、ラジエータ１の後方側からファンシュラウド３を該ラジエータ１に当接させた状態で上方から下方に移動させる。
この際、ファンシュラウド３の左右下端においては、下端係止部３ｅを下端保持部１ｂの挿通孔１ａに挿入させて係止させると共に、ファンシュラウド３の左右上端においては、アーム部Ａ４の爪部３０を上端保持部１０ｃの挿通孔１０ａに挿入させて係止させる（図７（ａ）参照）。
【００４３】
続いて、ラジエータ１の前方側からコンデンサ２を該ラジエータ１に当接させた状態で上方から下方に移動させる。
この際、コンデンサ２の左右下端においては、下端係止部２ｃを下端保持部１ｄの挿通孔１ｃに挿入して係止させると共に、コンデンサ２の左右上端においては、アーム部Ａ３の爪部２０を上端保持部１０ｄの挿通孔１０ｂに挿入して係止させる（図７（ａ）参照）。
【００４４】
最後に、前記マウント部材Ｍ１をピンＰ１に挿通させ、両アーム部Ａ３，Ａ４を上方から固定する（図７（ｂ）参照）。
なお、前記ラジエータ１にコンデンサ２、ファンシュラウド３が組み付けられた熱交換器Ｂはラジエータ１のピンＰ１，Ｐ２にて図外のラジエータコアサポートに固定され車両に搭載される。
【００４５】
従って、本実施の形態の熱交換器Ｂの締結構造にあっては、コンデンサ２及びファンシュラウド３の下端において、下端係止部２ｃ，３ｅをラジエータ１の対応する下端保持部１ｂ，１ｄに上方から挿入して係止させ、コンデンサ２及びファンシュラウド３の上端において、両アーム部Ａ３，Ａ４の爪部２０，２１を対応する上端保持部１０ｂ，１０ｃの挿通孔１０ａ，１０ｂに上方から挿入して係止させた後、マウント部材Ｍ１にて両アーム部Ａ３，Ａ４を上方から固定する作業でもって容易かつ確実にラジエータ１にコンデンサ２及びファンシュラウド３を固定することができる。
【００４６】
また、マウント部材Ｍ１によって各アーム部Ａ３，Ａ４の係止を上方から固定することができ、フロントエンドモジュールの組立て時や搬送時にこれら両者の結合が外れる虞がない。
【００４７】
以上、本発明の実施の形態を説明してきたが、本発明の具体的構成は本実施の形態に限定されるものではなく、発明の要旨を逸脱しない範囲の設計変更などがあっても本発明に含まれる。
【００４８】
例えば、本実施の形態の係合片２ａ、アーム部Ａ１〜Ａ４、ピンＰ１、Ｐ２の設置位置、設置数、及び形状については適宜設定することができる。
【図面の簡単な説明】
【図１】本発明の実施の形態１の熱交換器の締結構造を示す分解斜視図である。
【図２】本実施の形態のラジエータの下端の側面図である。
【図３】本実施の形態の熱交換器の締結構造における下端の締結を説明する図である。
【図４】本実施の形態の熱交換器の締結構造における上端の締結を説明する図である。
【図５】本発明の実施の形態２の熱交換器の締結構造を示す分解斜視図である。
【図６】本実施の形態のラジエータの下端の側面図である。
【図７】本実施の形態の熱交換器の締結構造における上端の締結を説明する図である。
【符号の説明】
Ａ、Ｂ  熱交換器
Ａ１、Ａ２、Ａ３、Ａ４  アーム部
Ｋ、Ｋ１  コア部
Ｍ、Ｍ１  マウント部材
Ｏ１、Ｏ２  挿通孔
Ｐ１、Ｐ２  ピン
Ｔ１、Ｔ２  タンク
１  ラジエータ
１ａ、１ｃ  挿通孔
１ｂ、１ｄ  下端保持部
１ｅ、２ｃ、３ｅ  下端係止部
２  コンデンサ
２ａ  係合片
３  ファンシュラウド
３ａ  本体
３ｂ  カバー
３ｃ  モータファン
３ｄ  嵌合部
２０、３０  爪部
【図１】
2005003225.tif 000003
【図２】
2005003225.tif 000004
【図３】
2005003225.tif 000005
【図４】
2005003225.tif 000006
【図５】
2005003225.tif 000007
【図６】
2005003225.tif 000008
【図７】
2005003225.tif 000009